(57)【要約】本開示の少なくともいくつかの例示的局面のゴルフクラブは、ゴルフクラブヘッドと、このゴルフクラブヘッドと係合するように構成された、シャフトと係合したグリップを含むシャフトとを含み得る。さらに、ゴルフクラブは、センサおよびトランスミッタを含むモニタリング装置を含んでもよい。加えて、モニタリング装置は、ゴルフスイングの特性に関するデータを測定するように構成されてもよい。さらに、モニタリング装置は、ゴルフスイングの特性に関するデータを遠隔コンピュータに送信するように構成されてもよい。2016515891.tif 000003
2016515891.tif 000002
【特許請求の範囲】
【請求項１】
打球ヘッド；
打球ヘッドに接続された固定端部および固定端部の反対の末端部を有し、固定端部と末端部との間で軸に沿って延びるシャフトであって、軸に垂直に測定した第一の最大寸法を有するシャフト；および
シャフトの末端部に接続された延長部であって、軸に垂直に測定した第二の最大寸法を有し、第二の最大寸法は第一の最大寸法よりも大きく、かつ延長部が、構成要素を受けるように構成されたレセプタクルを含む、延長部
を含む、打球装置。
【請求項２】
延長部がシャフトと取り外し可能に係合されている、請求項1に記載の打球装置。
【請求項３】
延長部が、延長部をシャフトおよびレセプタクルを画定する第二の部分に接続するために、シャフトと係合するように構成されたコネクタを有する第一の部分を有し、第二の部分は第二の最大寸法を有し、かつ第一の部分は第二の最大寸法よりも小さい第三の最大寸法を有する、請求項1に記載の打球装置。
【請求項４】
延長部がレセプタクルへのアクセスを提供する開口を有し、かつ打球装置が、該開口を覆うように構成されたキャップをさらに含む、請求項1に記載の打球装置。
【請求項５】
レセプタクル内に受けられる電子モジュールをさらに含む、請求項1に記載の打球装置。
【請求項６】
打球ヘッド；
打球ヘッドに接続された固定端部および固定端部の反対の末端部を有し、固定端部と末端部との間で軸に沿って延びるシャフト；および
シャフトの末端部に接続されたグリップ組立品であって、構成要素を受けるように構成されたレセプタクルおよびレセプタクルに接続されてグリップ組立品を形成するグリップ部材を含み、グリップ部材がシャフトの末端部を受ける中心通路を画定してグリップ組立品をシャフトに接続する、グリップ組立品
を含む、打球装置。
【請求項７】
レセプタクル内に受けられる電子モジュールをさらに含む、請求項6に記載の打球装置。
【請求項８】
レセプタクルがレセプタクルの端部に形成された第一の開口および第二の開口を含み、第一の開口は概して縦に伸びて第一の長さを有し、第二の開口は概して縦に伸びて第二の長さを有し、第一の長さは第二の長さよりも長く、第一の開口はその中に構成要素を受けるように構成され、かつ第二の開口は接続部材と係合して構成要素を第一の開口内に保持するように構成されている、請求項6に記載の打球装置。
【請求項９】
レセプタクルがレセプタクルの端部に凹み部分を含み、第一の開口および第二の開口が凹み部分で開いている、請求項8に記載の打球装置。
【請求項１０】
キャップ部材およびクリップ部材を有するカートリッジをさらに含み、キャップ部材は第一および第二の開口を覆い、かつクリップ部材はキャップ部材から第一の開口中に延び、構成要素と係合して構成要素を第一の開口内に保持するように構成されている、請求項8に記載の打球装置。
【請求項１１】
クリップ部材が基部および基部から概して横に伸びるフィンガーを有し、かつキャップ部材、基部、およびフィンガーが構成要素と係合するように構成されている、請求項10に記載の打球装置。
【請求項１２】
キャップがレセプタクルの末端部の凹み部分に受けられ、かつ末端部と面一である、請求項10に記載の打球装置。
【請求項１３】
キャップがオリフィスを含み、オリフィスが第二の開口と整列し、かつねじファスナがオリフィスを通って挿入され、第二の開口内のねじインサート中に固定されるように構成されている、請求項12に記載の打球装置。
【請求項１４】
電子モジュールをさらに含み、フィンガーが電子モジュールの第一の端部と係合し、かつキャップが電子モジュールの第二の端部と係合する、請求項11に記載の打球装置。
【請求項１５】
打球装置のシャフトを受け、該シャフトと係合して、グリップ組立品を該シャフトに接続するように構成された、中空の中心通路を有するグリップ部材であって、第一の材料で形成された、グリップ部材；
グリップ組立品の末端部に位置し、構成要素を受けるように構成されたレセプタクルであって、第一の材料よりも柔軟性が低い第二の材料で形成された、レセプタクル
を含み、
レセプタクルおよびグリップは同時成形されて単一の、一体型部品を形成する、
打球装置のシャフトに接続するように構成された、グリップ組立品。
【請求項１６】
レセプタクルが末端部から内部へ概して縦に延びる第一の開口および第二の開口を含み、第一の開口は第一の長さを有し、第二の開口は第二の長さを有し、第一の長さは第二の長さよりも長く、第一の開口は構成要素を受けるように構成され、かつ第二の開口は接続部材と係合して構成要素を第一の開口内に保持するように構成されている、請求項15に記載のグリップ組立品。
【請求項１７】
キャップ部材およびクリップ部材を有するカートリッジをさらに含み、キャップ部材は第一および第二の開口を覆い、かつクリップ部材はキャップ部材から第一の開口中に延び、構成要素と係合して構成要素を第一の開口内に保持するように構成されている、請求項16に記載のグリップ組立品。
【請求項１８】
キャップがグリップ組立品の末端部の凹み部分に受けられ、かつグリップ組立品の末端部と面一である、請求項17に記載のグリップ組立品。
【請求項１９】
キャップがオリフィスを含み、オリフィスが第二の開口と整列し、かつねじファスナがオリフィスを通って挿入され、第二の開口中に嵌るように構成されたねじインサート中に固定されるように構成されている、請求項18に記載のグリップ組立品。
【請求項２０】
レセプタクルが末端部から内部へ延びる第一の開口および末端部の凹み部分を含み、第一の開口が凹み部分内で開いており、グリップ組立品がキャップ部材およびクリップ部材を有するカートリッジをさらに含み、キャップ部材は第一の開口を覆い、かつクリップ部材はキャップ部材から第一の開口中に延び、構成要素と係合して構成要素を第一の開口内に保持するように構成されている、請求項15に記載のグリップ組立品。
【発明の詳細な説明】
【技術分野】
【０００１】
関連出願の相互参照
本出願は、2013年3月14日提出の米国特許出願第13/828,793号の優先権および恩典を主張し、この先行出願はその全体が参照により本明細書に組み入れられ、本明細書の一部をなす。
【０００２】
開示の分野
本開示はゴルフクラブおよびゴルフクラブヘッドに関する。本開示の特定の例示的局面は、ゴルファーのスイングの局面またはゴルフゲーム全体をモニタするためのモニタリング装置を含んでもよいゴルフクラブおよびゴルフクラブヘッドに関する。
【背景技術】
【０００３】
背景
ゴルフは、多種多様なプレーヤ、すなわち異なる性別ならびに劇的に異なる年齢および／または技術レベルのプレーヤによって楽しまれている。ゴルフは、そのような多様なプレーヤの集まりがゴルフイベントで互いに直接競いながら一緒にプレーし（例えば、ハンデ付きのスコア、異なるティーボックスを使用して、チームフォーマットで、など）、なおもゴルフの競技または試合を楽しむことができるという点で、スポーツ界ではいくぶんユニークである。これらの要因が、テレビにおけるゴルフ番組（たとえばゴルフトーナメント、ゴルフニュース、ゴルフ史および/または他のゴルフ番組）の増加および著名なゴルフスーパースターの出現と相まって、少なくとも部分的に、近年、米国および世界中でのゴルフ人気を高めた。
【０００４】
ゴルファーは、すべての技術レベルにおいて、パフォーマンスを改善し、ゴルフスコアを良くし、その次のパフォーマンス「レベル」に到達しようとする。すべてのタイプのゴルフ用具の製造者はこれらの要求に応え、近年、業界は、ゴルフ用具における劇的な変化および改良を目撃した。例えば、今や、広い範囲の様々なゴルフボールモデルが利用可能であり、ボールは、特定のスイング速度および/または他のプレーヤ特性もしくは好みを補うように設計されており、例えば、一部のボールは、より遠くおよび/またはよりまっすぐに飛ぶように設計されており；一部のボールは、より高いまたはよりフラットな弾道を提供するように設計されており；一部のボールは、より多くのスピン、コントロールおよび/または感触を提供する（特にグリーン周りで）ように設計されており；一部のボールは、より速いまたは遅いスイング速度のために設計されている；などである。また、ゴルフスコアを良くするために役立つことを約束する数多くのスイング補助具および／または教具が市販されている。
【０００５】
プレー中にゴルフボールを動かす唯一の道具であることから、ゴルフクラブもまた、近年、多大な技術的研究および進歩の対象であった。例えば、市場は、近年、パター設計、ゴルフクラブヘッド設計、シャフトおよびグリップにおける劇的な変化および改良を見てきた。さらに、ゴルフクラブの様々な要素および/または特性ならびにゴルフボールの特性を特定のユーザのスイング特徴または特性により良く適合させようとして、他の技術的進歩が達成されてきた（例えば、クラブフィッティング技術、ボール打ち出し角計測技術、ボールスピン速度など）。また、ゴルフクラブ設計におけるさらなる技術的進歩は、様々なタイプのモニタリング装置またはセンサをゴルフクラブに組み込むことを含むものであった。しかし、そのような設計の多くは扱いにくく、信頼できないものであった。加えて、センサによって記録されるデータのさらなる処理は、限られたものであったか、またはゴルファーにとって最も役立つのに適したやり方では実施されていない。
【０００６】
近年、業界は、ゴルフ用具における劇的な変化および改良を目撃したが、当技術分野においては、ゴルフクラブ技術におけるさらなる進歩の余地がある。したがって、先行技術のゴルフ用具は多数の有利な特徴を提供するが、それにもかかわらず特定の制限をかかえている。本発明は、それらの制限のいくつかおよび先行技術の他の欠点を解消し、これまで利用できなかった新たな特徴を提供しようとする。
【発明の概要】
【０００７】
開示の概要
以下、本開示およびその様々な局面の基本的理解を提供するために、本開示の局面の概要を提示する。この概要は、本開示の範囲を任意の方法で限定することを意図したものではなく、以下のより詳細な説明のための概観および背景を提供するだけである。
【０００８】
ゴルファーのゴルフスイングなどのゴルファーのゴルフゲームの局面をモニタし、分析する能力を有することは有利であろう。例えば、ゴルファーが練習中に（教習施設または打撃練習場などで）行うゴルフスイングまたはゴルファーがゴルフコース上で実際にゴルフのラウンドをプレーする間に行うゴルフスイングをモニタし、分析できることは有益であろう。したがって、本開示の特定の局面は、モニタリング装置を含むゴルフクラブに関する。
【０００９】
本開示の局面にしたがって、ゴルフクラブは、ゴルフクラブヘッド、およびゴルフクラブヘッドと係合するように構成された、シャフトと係合したグリップを含むシャフトを含んでもよい。ゴルフクラブは、センサおよびトランスミッタを含みうるモニタリング装置を含んでもよい。さらに、モニタリング装置は、ゴルフスイングの特性に関するデータを測定するように構成されてもよい。さらに、モニタリング装置は、ゴルフスイングの特性に関連するデータを遠隔コンピュータに送信するように構成されてもよい。
【００１０】
本開示の局面にしたがって、モニタリング装置は、ゴルファーのゴルフゲームの局面（ゴルファーのゴルフスイングなどの）に関するデータをモニタするための一つまたは複数のセンサおよびそのようなデータを送信するように構成されたトランスミッタ/トランシーバを含んでもよい。本開示の局面にしたがって、送信されるデータは、ゴルファーの能力（例えば、ゴルファーのゴルフスイング）を改善する際にゴルファーを支援するために分析され（以下に説明するように）、かつ使用されてもよい。本開示の特定の例示的局面にしたがって、他のデータ（例えば、特定のクラブデータ、コース上データ（特定のゴルフスイングおよびそのスイングがゴルフコース上で行われたおおよその位置などの）もモニタされ、送信され、ゴルファーのゴルフゲームの局面（ゴルファーのゴルフスイングなどの）に関連するデータと連係され、かつ分析されてもよいことが留意されよう。本開示のさらなる局面は、ゴルファーがゴルフスイング中にゴルフボールを打ったときのゴルフクラブフェース上の衝突位置を感知することを含んでもよい。感知されたデータの通信は、さらなる処理およびゴルファーへの表示のために、ワイヤレスで、または他の手段を介して遠隔の場所まで送信されてもよい。
【００１１】
本開示の局面にしたがって、様々な構造および態様が、ゴルフクラブヘッドまたは他の打球装置のシャフトの遠位端のレセプタクル内にモニタリング装置または他の電子モジュールを受けるように構成されてもよい。
【図面の簡単な説明】
【００１２】
本開示は例として説明され、添付図面に限定されるものではなく、全図を通して同様の参照番号は類似の要素を示す。
【図１】本開示の局面のウッドタイプゴルフクラブ構造の例示的態様である。
【図２】モニタリング装置を支持するカートリッジを有するゴルフクラブのグリップ部分の分解図を含む、本開示の例示的態様のゴルフクラブの別の態様の透視図である。
【図３】モニタリング装置を受けるように構成されたゴルフクラブのグリップ部分の分解図を含む、本開示の例示的態様のゴルフクラブの別の態様の透視図である。
【図４】モニタリング装置を有するゴルフクラブのグリップ部分の分解図を含む、本開示の例示的態様のゴルフクラブの別の態様の透視図である。
【図５】本開示の局面のアイアンタイプゴルフクラブ構造の例示的態様である。
【図６】本開示の局面のゴルフクラブの例示的な取り外し可能な部片である。
【図７】本開示の局面の図6の例示的な取り外し可能な部片と、それぞれのゴルフクラブとの組み合わせを示す。
【図８】本開示の局面のスポーツ用具の様々な異なる部品と係合するように構成されたモニタリング装置を示す。
【図９】本発明の局面の変更されたシャフトおよびグリップを含むゴルフクラブの1つの態様を示す。
【図１０】本発明の局面のゴルフクラブの変更されたグリップおよびシャフトの別の態様を示す。
【図１１】本発明の局面のゴルフクラブの変更されたグリップおよびシャフトの別の態様を示す。
【図１２】本発明の局面のゴルフクラブの変更されたシャフトの別の態様を示す。
【図１３】シャフトに接続された異なるグリップを有する、図12のシャフトを示す。
【図１４】シャフトに接続された異なるグリップを有する、図12のシャフトを示す。
【図１５】本発明の局面のモニタリング装置およびモニタリング装置用の電源の態様を示す。
【図１６】本発明の局面のモニタリング装置およびモニタリング装置用の電源の態様を示す。
【図１７】本発明の局面のモニタリング装置およびモニタリング装置用の電源の態様を示す。
【図１８】本発明の局面のモニタリング装置およびモニタリング装置用の電源の態様を示す。
【図１９】本発明の局面のモニタリング装置およびモニタリング装置用の電源を有するゴルフクラブのグリップ部分の分解図を示す。
【図２０】モニタリング装置を受けるように構成されたレセプタクルとシャフトを受けるように構成されたグリップとを組み立てる1つの方法を示す。
【図２１】モニタリング装置を受けるように構成されたレセプタクルとシャフトを受けるように構成されたグリップとを組み立てる1つの方法を示す。
【図２２】モニタリング装置を受けるように構成されたレセプタクルとシャフトを受けるように構成されたグリップとを組み立てる1つの方法を示す。
【図２３】モニタリング装置を受けるように構成されたレセプタクルとシャフトを受けるように構成されたグリップとを組み立てる1つの方法を示す。
【図２５】本開示の例示的態様の図24に示すレセプタクルおよびグリップの態様の透視図である。
【図２６】その上に配置された柔軟な部材を有する、図2のカートリッジの背面図である。
【図２７】その上に配置された柔軟な部材を有する、図26のグリップ部分およびモニタリング装置の分解図である。
【００１３】
読者は、これらの図面中に示す様々なパーツが必ずしも一定の縮尺で描かれてはいないことに留意されたい。
【発明を実施するための形態】
【００１４】
詳細な説明
以下の説明および添付図面は本開示の例のゴルフクラブヘッドおよびゴルフクラブの特徴を開示する。
【００１５】
I. 本開示の例示的なゴルフクラブヘッド、ゴルフクラブ、および方法の概説
本開示の局面はまた、ゴルフクラブシャフトおよびゴルフクラブグリップに関する。本開示の少なくともいくつかの例示的局面のゴルフクラブシャフトは、（a）グリップ部分；および（b）モニタリング装置を含んでもよい取り外し可能な部片を含んでもよい。本開示の少なくともいくつかの例示的局面のモニタリング装置はまた、（c）一つまたは複数のセンサ、および／または（d）一つまたは複数のセンサによって得られたデータを送信するためのトランスミッタを含んでもよい。本開示のいくつかの局面にしたがって、シャフトのグリップ部分または他の部分は、取り外し可能な部片を受けるように構成されてもよい。さらに、本開示のいくつかの局面にしたがって、ゴルフクラブシャフト（例えば、グリップ部分）は、取り外し可能な部片なしでモニタリング装置を直接的に受けるように構成されてもよい。本開示の少なくともいくつかの例示的局面のゴルフクラブシャフトは、メタルシャフト、カーボンファイバシャフトなどを含んでもよく、かつウッドタイプゴルフクラブ、アイアンタイプゴルフクラブ、パタータイプゴルフクラブを含む、ゴルフクラブの任意のタイプを目的とするものでもよい。
【００１６】
本開示のさらなる局面は、例えば、上記タイプのゴルフクラブシャフトを含むゴルフクラブ構造に関する。そのようなゴルフクラブ構造はさらに、ゴルフクラブヘッドに取り付けられた（任意に、シャフト係合部材（例えば、ホーゼル）を介して、または直接挿入され、他のやり方でシャフトと係合した）シャフト；シャフトに取り付けられたグリップまたはハンドルなどを一つまたは複数含んでもよい。
【００１７】
本開示のなおさらなる局面は、本開示の例のゴルフクラブ構造を製造する方法に関する。このような方法は、例えば、（a）ゴルフクラブヘッドを、例えば、ゴルフクラブヘッドボディを製造もしくは他のやり方で構成することによって、第三者供給源から得ることなどによって提供する段階；（b）上記様々なタイプのシャフト（上記様々な構造、特徴および/または配設のいずれかまたはすべてを含む）をゴルフクラブヘッドと係合させる段階；および（c）上記様々なタイプのグリップ（上記様々な構造、特徴および/または配設のいずれかまたはすべてを含む）をシャフトと係合させる段階の一つまたは複数を任意の所望の順序および/または組み合わせで含んでもよい。
【００１８】
上記で提供された本開示の様々な例示的局面の概説を考慮して、以下に本開示のゴルフクラブおよびゴルフクラブヘッド構造の様々な具体例のより詳細な説明を提供する。
【００１９】
II. 本開示の例示的なゴルフクラブヘッド、ゴルフクラブ構造および方法の詳細な説明
上述したように、ゴルファーのゴルフゲームの局面、例えば、ゴルファーのゴルフスイングをモニタし、かつ分析する能力を有することは有利であろう。したがって、本開示の特定の局面は、モニタリング装置を含むゴルフクラブを目的とする。本開示の局面にしたがって、モニタリング装置は、ゴルファーのゴルフゲームの局面（ゴルファーのゴルフスイングなどの）に関連するデータをモニタするための一つまたは複数のセンサおよびそのようなデータを送信するように構成されたトランスミッタを含んでもよい。データは、必要または望まれる場合には、さらに処理されてもよいことがさらに理解されよう。本開示の局面にしたがって、送信されるデータは、ゴルファーの能力（例えば、ゴルファーのゴルフスイング）を改善する際にゴルファーを支援するために分析され（以下に説明するように）、かつ使用されてもよい。本開示の特定の例示的局面にしたがって、他のデータ（例えば、特定のクラブデータ、コース上のデータ（特定のゴルフスイングおよびそのスイングがゴルフコース上で行われたおおよその位置などの）もモニタされ、送信され、分析されてもよいことが留意されよう。
【００２０】
さらに、モニタリング装置がゴルフクラブから取り外し可能であるようにゴルフクラブを構成することも有益であろう。例えば、ゴルファーが練習中に（例えば、打撃練習場で）モニタリング装置を使用することを望み、かつゴルフコース上でのプレー中には使用することを望まないならば、ゴルファーがゴルフクラブを所与の時機に自分の特定の好みに合わせて選択的に構成することを可能にするために、モニタリング装置を容易にゴルフクラブと係合可能にし、取り外し可能にすることができるように構成されたゴルフクラブを有することが有益であろう。ゴルファーが実際のゴルフラウンド中にモニタリング装置を使用することを望まないならば、モニタリング装置を含むカートリッジをクラブから取り外し、モニタリング装置を含まない交換部材と交換することもでき、その場合、モニタリング装置は、モニタリング装置がゴルフクラブに設置されているときと比べて、ゴルフクラブの全体特性を変化させないような、加重および空気力学特徴などの特性を有する。
【００２１】
したがって、本開示の局面は、モニタリング装置を受け、かつ固定するように構成されており、かつ、モニタリング装置を解放するように構成されているゴルフクラブを目的とする。例えば、本開示の局面は、モニタリング装置をゴルフクラブシャフトの中に受け、かつ固定するように構成されているゴルフクラブシャフトを含むゴルフクラブに関する。例えば、ゴルフクラブシャフトのグリップが、モニタリング装置をゴルフクラブシャフトのグリップの中に受け、かつ固定するように構成されてもよい。さらに、本開示の例示的態様は、取り外し可能な部片またはカートリッジ（例えば、モニタリング装置を含むカートリッジ）を受け、かつ固定するように構成されたゴルフクラブシャフトに関する。
【００２２】
以下の説明および添付図面は、本開示の様々な例示的なゴルフクラブおよびゴルフクラブシャフト構造を説明する。同じ参照番号が複数の図面に見られる場合、その参照番号は、本明細書および図面を通して同じまたは類似パーツを指すために一貫して使用される。
【００２３】
以下、図1〜27に示す例示的なゴルフクラブ構造に関連して、本開示のゴルフクラブ構造のより具体的な例および特徴を詳細に説明する。
【００２４】
図1は、概して、本開示の局面のウッドタイプゴルフクラブ100の例を示す。図1に見られるように、ウッドタイプゴルフクラブは、本開示のウッドタイプゴルフクラブヘッド101を含んでもよい。
【００２５】
ゴルフクラブヘッド101に加えて、ゴルフクラブ構造100全体は、シャフト103およびシャフト103に取り付けられたグリップまたはハンドル105を含んでもよい。シャフト103は、本開示を逸脱することなく、当技術分野において公知であり、かつ使用されている従来のやり方を含む任意の適当なまたは所望のやり方で、ゴルフクラブヘッド101に受けられ、それと係合し、および/またはそれに取り付けられてもよい。より具体的な例として、シャフト103は、クラブヘッド101の中に延びるシャフト受けスリーブもしくは要素（例えば、ホーゼル）を介してゴルフクラブヘッド101と係合してもよいし、および/または直接的に、例えば、接着剤、セメント、溶接、はんだ付け、機械的コネクタ（ねじ、保定要素などの）を介してクラブヘッド構造101に係合してもよい。望まれる場合、シャフト103は、ヘッド上で一つのシャフトと別のシャフトとの容易な交換を可能にするために、機械的コネクタを使用して解放可能なやり方でゴルフクラブヘッド101に接続されてもよい。シャフト103は、グラファイト系材料、複合材料または他の非金属材料、鋼材料（ステンレス鋼を含む）、アルミニウム材料、他の金属合金材料、ポリマー材料、様々な材料の組み合わせなどの、当技術分野において公知であり、かつ使用されている従来の材料を含む任意の適当なまたは所望の材料から作られてもよい。
【００２６】
グリップまたはハンドル105は、当技術分野において公知であり、かつ使用されている従来のやり方を含む任意の適当なまたは所望のやり方で、例えば、接着剤もしくはセメントの使用などにより、シャフト103に取り付けられ、それに係合し、および/またはそれから延びてもよい。別の例として、望まれる場合、グリップまたはハンドル105は、シャフト103と一緒に一体の1ピース構造として一体に形成されてもよい。さらに、本開示を逸脱することなく、例えば、ゴム材料、皮革材料、その中に埋め込まれたコードまたは他の布材料を含むゴムまたは他の材料、ポリマー材料などを含む、任意の所望のグリップまたはハンドル材料が使用されてもよい。
【００２７】
さらに、本開示の局面にしたがって、ゴルフクラブ100はホーゼルを含んでもよい。本開示の局面にしたがって、シャフト103は、ホーゼルに受けられ、および/またはその中に挿入され、および/またはその中に通されてもよい。望まれる場合、ホーゼルは、ヘッド上で一つのシャフトと別のシャフトとの容易な交換を可能にするために、シャフト103が機械的コネクタを使用して解放可能なやり方でホーゼルと係合するように、構成されてもよい。例えば、ねじ、固定機構などがホーゼルに組み込まれてもよく、ホーゼルと係合するシャフト103の端部が、対応する構成で構成されてもよい。また、シャフト103は、接着剤もしくはセメントを用いる接着、溶接（例えば、レーザ溶接）、はんだ付け、ろう付けまたは他の融着技術などにより、ホーゼルに固定されてもよい。さらに、任意に、望まれる場合、ホーゼルが除かれてもよく、シャフト103は直接的にゴルフクラブヘッド101に取り付けられてもよい。例えば、シャフト103は、ゴルフクラブヘッド101と直接的に係合してもよい（例えば、接着剤もしくはセメントを用いる接着、溶接（例えば、レーザ溶接）、はんだ付け、ろう付けまたは他の融着技術などにより）。
【００２８】
本開示の局面にしたがって、ゴルフクラブヘッド101は打球面（例えば、フェースプレートを含む打球面）107を含んでもよい。打球面107は、ゴルフクラブヘッド101と一体に提供されてもよい。また、打球面107は、ゴルフクラブヘッドと係合するように構成されている、フェースプレートなどの別個の要素を含んでもよい。例えば、ゴルフクラブヘッドは、フェースプレートを受けるための凹み、切欠きまたは他の構成などの構造を含んでもよい。フェースプレートは、多様な方法でゴルフクラブヘッドと係合してもよい。例えば、フェースプレートは、プレス嵌め、接着剤もしくはセメントを用いる接着、溶接（たとえばレーザ溶接）、はんだ付け、ろう付けまたは他の融着技術、機械的コネクタなどにより、ゴルフクラブヘッドと係合してもよい。
【００２９】
打球面107は一つまたは複数の材料で構成されてもよい。打球面の材料は、ゴルフボールとの度重なる衝突に耐えるために比較的耐久性であるべきである。例えば、打球面107は高強度鋼を含んでもよい。さらに、チタンまたは他の金属もしくは合金などの他の材料が使用されてもよい。さらに、打球面107は、打球面107を横切って概して水平に延びる一つまたは複数のスコアラインを含んでもよい。
【００３０】
本開示の局面にしたがって、ゴルフクラブヘッドは、クラウン101a、ソール101b、トウ101cおよびヒール101dを含んでもよい。さらに、ゴルフクラブヘッド101は、本開示を逸脱することなく、任意の適当なまたは所望のやり方で、および/または任意の適当なまたは所望の材料から、例えば、当技術分野において公知であり、かつ使用されている従来の材料から、および/または従来のやり方で構成されてもよい。事実、本開示を逸脱することなく、多種多様なクラブヘッド全体構成が可能であることが留意されよう。例えば、望まれる場合、上記クラブヘッドボディの様々な個々のパーツのいくつかまたはすべては、一緒に接続される（例えば、接着剤もしくはセメント；溶接、はんだ付け、ろう付けまたは他の融着技術；機械的コネクタなどによって）複数のピースから作られてもよい。様々なパーツ（例えば、クラウン、ソール、フェースなど）は、当技術分野において従来から公知であり、かつ使用されている材料、例えば、軽金属材料を含む金属材料（例えば、チタン、チタン合金、アルミニウム、アルミニウム合金、マグネシウム、マグネシウム合金など）、複合材料、ポリマー材料などを含む、任意の所望の材料および異なる材料の組み合わせから作られてもよい。クラブヘッド101および/またはその様々なパーツは、鍛造、鋳造、成形、機械加工によって、および/または当技術分野において慣用的であり、公知である技術およびプロセスを含む他の技術およびプロセスを使用して作られてもよい。
【００３１】
本開示を逸脱することなく、多種多様なクラブヘッド全体構成が可能であることが留意されよう。例えば、本開示を逸脱することなく、本開示の例のゴルフクラブヘッド101の寸法および/または他の特性が有意に異なってもよいことが留意されよう。例えば、上記特徴および構成は、例えば、ウッドタイプハイブリッドクラブ、フェアウェイウッド、ドライバなどを含む任意のウッドタイプクラブヘッドに組み込まれてもよい。
【００３２】
本開示の局面が、交換可能な部片またはカートリッジを受けるように構成されているゴルフクラブであって、交換可能なカートリッジの一つが一つまたは複数のセンサおよび／またはトランスミッタを収容してもよく、交換可能なカートリッジの第二のものがセンサおよび／またはトランスミッタを収容せず、かつ一つまたは複数のさらなるコンポーネントを収容してもよいゴルフクラブを目的とすることが理解されよう。このようにして、ゴルファーは、ゴルファーの自由裁量で、一つまたは複数のセンサおよびトランスミッタを含む、または含まないようにゴルフクラブを選択的に構成してもよい。
【００３３】
モニタリング装置201は、ゴルファーのゴルフゲームの多数の異なる局面を計測するように構成されてもよい。例えば、モニタリング装置201は、ゴルフスイングデータを計測するように構成されてもよい。本開示の局面にしたがって、ゴルフスイングデータは、ゴルフスイングの多様な異なる特性に関する情報を含んでもよい。さらに、本開示の特定の態様にしたがって、モニタリング装置201はまた、センサが配置されている特定のゴルフクラブを識別するように構成されてもよい。例えば、RFIDタグが使用されてもよい。さらに、本開示の特定の態様にしたがって、モニタリング装置201はまた、特定のゴルフスイングが行われた位置を識別するように構成されてもよい。例えば、モニタリング装置201は全地球測位衛星（GPS）技術を含んでもよい。ゴルフラウンド中の各ショットに関する情報をゴルファーに提供するために、そのような情報が、ゴルフショットが打たれたゴルフコースの地図と統合されてもよい。さらに、モニタリング装置201は、トランスミッタ（またはトランシーバ）を介して、処理した信号を遠隔コンピュータシステムに送信するように構成されてもよい。
【００３４】
本開示の局面にしたがって、シャフト103および／またはグリップ105は、取り外し可能な部片またはカートリッジ200を受けるように構成されてもよい。さらに、取り外し可能な部片200は、モニタリング装置201を受けるように構成されてもよい。図2は、本開示のそのような局面の例示的態様を示す。
【００３５】
図2に見られるように、取り外し可能な部片200は、シャフトの頂部を形成する円形部分およびモニタリング装置201を収容するように構成された細長い部分を含んでもよい。本開示の局面にしたがって、取り外し可能な部片200の細長い部分は、モニタリング装置201を取り外し可能な部片200の中に配置し、かつ固定するのに役立つガイドを含んでもよい。取り外し可能な部片200は、モニタリング装置201が取り外し可能な部片200内で動かないような方法でモニタリング装置201を固定するように構成されてもよいことが留意されよう。例えば、取り外し可能な部片200は、プレス嵌め、スナップ嵌め機構（例えば、ばね押し突起および対応する戻り止め）、機械的ファスナなどを介してモニタリング装置201（例えば、モニタリング装置201の外部を含むコンパートメント）と係合するように構成されてもよい。例えば、細長い部分は、コンパートメントの第一の丸みのある端部と係合するように構成された第一のアーチ形端部、コンパートメントの第二の丸みのある端部と係合するように構成された第二のアーチ形端部、および第一のアーチ形部と第二のアーチ形部との間に延び、かつコンパートメントの側面と係合するように構成されているバック部分を含んでもよい。このようにして、取り外し可能な部片200は、モニタリング装置201を支持し、かつ安定化させるように構成されてもよい。例えば、細長い部分は、第一および第二の丸みのある端部を有する長方形であってもよく、かつ1.0〜1.5インチの範囲の長さ、0.4〜1.0インチの幅、および0.2〜0.45インチの厚さを有してもよいコンパートメントを固定するように構成されてもよい。本開示の局面にしたがって、取り外し可能な部片200はプラスチック製であってもよい。ゴムのような他の材料またはそれらの組み合わせが使用されてもよいことが留意されよう。
【００３６】
取り外し可能な部片またはカートリッジ200は、多様な方法でグリップ105と係合するように構成されてもよい。例えば、グリップ105は、取り外し可能な部片200を受けるように構成されている開口をその末端に有するように構成されてもよい。さらに、グリップ105は、グリップ105への挿入中に取り外し可能な部片を誘導するガイドをグリップ105の内部に有するように構成されてもよい。また、グリップは、ロック機構、例えば、グリップ105の内部をライニングするねじを有するように構成されてもよい。取り外し可能な部片200は、取り外し可能な部片200をグリップ105の中にねじ込んだときに取り外し可能な部片200がグリップ105と係合し、かつロックされる対応する構造を含んでもよい。または、取り外し可能な部片200は、プレス嵌め、スナップ嵌め機構（例えば、ばね押し突起および対応する戻り止め）、機械的ファスナなどを介してグリップ105と係合するように構成されてもよい。1つの例示的態様において、図26に示すとおり、取り外し可能な部片200は、モニタリング装置201を支持するクリップ207上に配置された柔軟な部材221を有してもよい。柔軟な部材221は、取り外し可能な部片200およびモニタリング装置201をグリップ105内の定位置に保持するために、グリップ105および/またはシャフト103の内部と係合するように構成されている。例示する態様において、柔軟な部材221はクリップ部材207の基部209を部分的に取り囲む隆起の形であるが、他の態様においては異なるように構成されてもよい。例えば、柔軟な部材221は構成要素を完全に取り囲む隆起として構成されてもよく、または外面上の突起もしくはタブとして構成されてもよい。1つの態様において、柔軟な部材221は、少なくともグリップ105/シャフト103への挿入方向に垂直に最大寸法を有する取り外し可能な部片200の領域上に配置されてもよい。柔軟な部材221は取り外し可能なカートリッジ200が多様なシャフト径を有する複数のグリップに挿入されることを可能にする。これはさらに、取り外し可能なカートリッジ200が異なるクラブまたは他のスポーツ用具で用いられることを可能にする。図3、6〜8、および23〜25に示す取り外し可能なカートリッジを含む、本明細書において示し、記載する取り外し可能なカートリッジ200の他の態様は、これらの目的のために柔軟な部材221を含んでもよいことが理解されよう。柔軟な部材221は、ゴムまたはポリウレタンを含む、当技術分野において公知の様々な材料で形成されうる。別の態様において、以下に記載し、図3に示す構成または他の構成を含む、カートリッジ200をシャフト103内に保持するために1つまたは複数のファスナ（示していない）を用いてもよい。
【００３７】
図3は、本開示の局面の取り外し可能な部片またはカートリッジの別の態様の分解図を示す。例えば、図3に見られるように、カートリッジ200は、グリップ105の頂部部分、またはグリップ105の末端部内に嵌るように構成されてもよい。グリップ105の頂部部分は、モニタリング装置201を支持するカートリッジを受けるように構成されている第一の部分およびゴルフクラブのシャフト103の内部と係合するように構成されている第二の部分を含んでもよい。したがって、グリップ105の頂部部分は、ゴルフクラブシャフト103内に取り外し可能に嵌るように構成されてもよい。グリップ105の取り外し可能な頂部部分およびカートリッジ200は、以下に説明するとおり、互いに取り付けられるように構成されてもよい。
【００３８】
したがって、図3に示す例示的態様において、グリップ105の頂部部分はカートリッジホルダまたは構成要素レセプタクル106と考えてもよい。この態様において、カートリッジホルダ106は、モニタリング装置201、電源206、および/または他の構成要素などの構成要素を受けるように構成されているハウジングを画定する。カートリッジホルダ106は概して、モニタリング装置201を支持するカートリッジ200を受けるように構成されている第一の部分108およびゴルフクラブのシャフト103と係合するように構成されている第二の部分110を含む。
【００３９】
第一の部分108は、その中に第一の開口191および第二の開口192を有する主要ボディ部分190を有する。第一の開口191は一般に、主要ボディ部分190中に概して縦に伸びる細長いスロットである。第一の開口191は、長さおよび幅が多様であり得、概して、以下により詳細に記載する、モニタリング装置201を支持するカートリッジ200の部分を受けるための寸法にされている。第一の開口191は、1つの態様において、カートリッジ200と主要ボディ部分190との間に最小限の遊びがあるような寸法にされている。第二の開口192は、例示的態様において、ねじなどの接続構造を含む。主要ボディ部分190はさらに、末端部の凹み部分193を画定し、第一の開口191および第二の開口192は凹み部分193で開いている。第二の部分110はシャフト103と係合するように構成され、図3の態様において、第一の部分108の主要ボディ部分190から伸びる突起194を有する。突起194は中空であってもよく、シャフト103内に嵌り、その中に伸びるための寸法にされている。突起194は、他の態様において、別のやり方でシャフト103と係合してもよく、またはカートリッジホルダ106は異なる係合構造を含んでもよい。1つの例示的態様において、カートリッジホルダ106は一体型部材であり、当技術分野において公知の様々な材料で形成されうる。加えて、主要ボディ部分190の外面は、望まれるとおり、均一の表面を提供するために、グリップ部材の残りの部分と同一の材料で形成されてもよい。
【００４０】
図3にさらに示すとおり、取り外し可能なカートリッジ200は、キャップ部材205からたれ下がるクリップ部材207を有するキャップ部材205を有する。キャップ部材205は、それを通って伸び、クリップ部材207に隣接する、オリフィス208を有する。クリップ部材207は基部209および基部209からキャップ部材205と反対の端部で概して横に伸びる弾力性フィンガー210を有する。基部209はモニタリング装置201を全長にわたって収容するための寸法にされている。弾力性フィンガー210はセンサ201の端部と係合する。したがって、この態様において、モニタリング装置201はカートリッジ200中に挿入され、ここでモニタリング装置201は概して締り嵌めで固定されることが理解されよう。モニタリング装置201の1つの端部は弾力性フィンガー210によって係合され、モニタリング装置201の別の端部はキャップ部材205の下側によって係合される。したがって、モニタリング装置201はクリップ部材207中にパチンとはめることができる。望まれる場合には、さらなるフィンガーまたは他の保持要素をクリップ部材207と合体させることができ、カートリッジ200およびモニタリング装置201は、タブおよびスロットなどの相補的係合構造を含んでもよい。例えば、より長い基部209を用い、したがってセンサ201をキャップ部材205から離す場合、さらなる保持要素を用いてもよい。
【００４１】
図3にさらに示すとおり、カートリッジホルダ106はシャフト103に固定される。第二の部分110はシャフト103に挿入され、固定される。この接続は永久接続または解放可能な接続であってもよい。取り外し可能なカートリッジ200はカートリッジホルダ106中に挿入される。モニタリング装置201を支持する基部209およびフィンガー210は第一の開口191中に挿入される。主要ボディ部分190の構造はカートリッジ200を囲んでしっかりと支持し、それによりモニタリング装置201を衝撃または風雨による損傷からさらに保護する。この態様において、第一の開口191は概して非円形であり、ここでセンサ201を支持するクリップ部材207は第一の開口191中に、設定され、決まった方向に挿入されなければならないことがさらに理解されよう。さらに、モニタリング装置201の周りの遊びを最小限にすることで、モニタリング装置201の位置が常にわかる。これは、データを望まれる様式で記録および分析する能力を助ける。
【００４２】
図3にさらに示すとおり、カートリッジ200およびグリップ105の頂部部分は、ねじファスナ211または他の接続部材によって一緒に締結されるように構成されてもよい。この態様において、キャップ部材205は凹み部分193に受けられる。キャップ部材205は概してカートリッジホルダ106の端部と面一である。キャップ部材205上のオリフィス208は第二の開口192と整列する。ねじファスナ211はオリフィス208を通って挿入され、ねじ係合により第二の開口192中に固定される。第二の開口192は、図3の態様におけるとおり、そのような係合を確立するためにねじインサート195を含んでもよく、または、別の態様において、一体型ねじまたは別の接続構造を含んでもよい。したがって、取り外し可能なカートリッジ200は、このようにして単一のファスナによってクラブのグリップに固定される。取り外し可能なカートリッジ200とカートリッジホルダ106、または、さもなくばグリップ105との間で他の締結機構を用いうることが理解されよう。他の締結機構にはスナップ嵌め構成または締り嵌めならびに他の機械的構成が含まれる。そのような構成により、カートリッジ200を支持するカートリッジホルダ106はグリップ105中に継ぎ目なしに一体化され、実質的に検知不可能である。ゴルフクラブは、いかなるセンサ技術も組み込んでいない任意の伝統的ゴルフクラブのように見える。さらに、図3に見られるように、モニタリング装置201を支持するカートリッジを受けるように構成されたグリップ105の第一の部分は、カートリッジ200を囲んでしっかりと支持し、それによりモニタリング装置201を衝撃または風雨による損傷から保護するように構成されてもよい。
【００４３】
取り外し可能なカートリッジ200は本明細書に記載の他の態様の特徴を利用しうることがさらに理解されよう。例えば、クリップ部材207は、図6に示すような、異なる長さを有してもよい。次いで、カートリッジホルダ106は、そのような寸法のカートリッジ200と協働するように対応する構造を有してもよい。カートリッジ200は、本明細書に記載の様々なロックアウトまたは他の識別構造を使用してもよい。
【００４４】
本開示の他の局面にしたがって、グリップ105は、別個の取り外し可能な部片またはカートリッジ200を含むことなく、モニタリング装置201を直接的に受け、かつ固定するように構成されてもよい。図4は、本開示のそのような局面の例示的態様を示す。
【００４５】
モニタリング装置201は、多様な方法でグリップ105と係合するように構成されてもよい。例えば、グリップ105は、モニタリング装置201を受けるように構成されている開口をその末端に有するように構成されてもよい。例えば、図4に見られるように、グリップ105は、モニタリング装置201がモニタリング装置の縦軸に沿ってグリップ105に挿入されるときにモニタリング装置201を受けるように構成されているスリットを含んでもよい。スリットは、モニタリング装置201と一緒に固い締り嵌めを提供するように構成されてもよい。このようにして、グリップ105は、モニタリング装置201がグリップ105内で動かないようにモニタリング装置201を固定するように構成されてもよいことが留意されよう。このようにして、取り外し可能な部片200は、モニタリング装置201を支持し、かつ安定化するように構成されてもよい。
【００４６】
さらに、グリップ105は、グリップ105への挿入中にモニタリング装置201を誘導するガイドをグリップ105の内部に有するように構成されてもよい。また、グリップは、ロック機構、例えば、モニタリング装置が挿入されるフラップを含むカバーを有するように構成されてもよい。モニタリング装置201は、スナップ嵌め機構（例えば、ばね押し突起および対応する戻り止め）、他の機械的ファスナなどを含む、なお他の方法を介してグリップ105と係合するように構成されてもよいことが留意されよう。
【００４７】
モニタリング装置201および取り外し可能な部片200とシャフトとの係合はグリップ105に関して上述されているが、または、シャフト103は、モニタリング装置201および/または取り外し可能な部片200を、ヘッドの近くの、シャフト103の固定された端部で受けるように構成されてもよいことが留意されよう。さらに、シャフト103の内部が、モニタリング装置201をシャフト103の長手沿いの任意の地点（例えば、固定された端部、太い／グリップエンド、中央など）に配置するように構成されてもよい。
【００４８】
本開示の局面にしたがって、シャフト103のグリップ／太いエンド（またはその一部分）は、図11に示し以下で詳述するように、モニタリング装置201が挿入されることを可能にするために取り外し可能であってもよい。追加的または代替的に、上記のように、シャフトの固定された端部がゴルフクラブヘッド101と取り外し可能に係合してもよい。したがって、モニタリング装置201がシャフト103のその端部に挿入されてもよい。さらに、望まれる場合、ゴルフスイング中にシャフト103の様々な異なる位置または異なる部分を計測するために、複数のモニタリング装置201がシャフト103に挿入されてもよいことが留意されよう。
【００４９】
本開示の局面にしたがって、ゴルフクラブ101は、シャフト103の中およびゴルフクラブヘッド101の中の両方にモニタリング装置201を含んでもよい。例えば、ゴルフクラブ101は、二つのモニタリング装置201、例えば組み入れられた米国仮出願第61/665,834に示されかつ記載されたように、グリップ105の中に配置されている第一のモニタリング装置201（図2に示すような）およびゴルフクラブヘッド101の中に配置されている第二のモニタリング装置201を含んでもよい。いくつのモニタリング装置201がゴルフクラブに含まれるか、およびゴルフクラブ上またはゴルフクラブ内のモニタリング装置201の配置にかかわらず、本開示の局面にしたがって、組み入れられた米国仮出願第61/665,834にまた示されかつ記載されたように、第一のモニタリング装置201は「マスター」モニタリング装置201であるように構成されてもよく、かつ他のモニタリング装置201は「マスター」モニタリング装置201にデータを通信するように構成されてもよい。
【００５０】
ウッドタイプゴルフクラブおよびウッドタイプゴルフクラブヘッドが上記で詳細に説明されたが、本開示の他の局面は、アイアンタイプゴルフクラブヘッドおよびアイアンタイプゴルフクラブに関する。例えば、図5は、本開示の局面のアイアンタイプゴルフクラブ700の一例を示す。図5に見られるように、アイアンタイプ700は、本開示のアイアンタイプゴルフクラブヘッド701を含んでもよい。本明細書の任意の局面が、ウッドタイプゴルフクラブ、アイアンタイプゴルフクラブ、または他のタイプのゴルフクラブで利用されてもよいことが留意される。さらに、図8に示したように、モニタリング装置201および関連する取り付け用構造が、他のタイプの打球装置およびスポーツ用具、例えばテニスまたは他のラケット、バット（野球、ソフトボール、クリケットなど）、ホッケースティック（アイスホッケー、フィールドホッケーなど）、ラクロススティックなどで利用されてもよい。
【００５１】
ゴルフクラブヘッド701に加えて、ゴルフクラブ構造700全体は、シャフト703およびシャフト703に取り付けられたグリップまたはハンドル705を含んでもよい。シャフト703は、本開示を逸脱することなく、当技術分野において公知であり、かつ使用されている従来のやり方を含む任意の適当なまたは所望のやり方で、ゴルフクラブヘッド701に受けられ、それと係合し、および/またはそれに取り付けられてもよい。より具体的な例として、シャフト703は、クラブヘッド701の中に延びるシャフト受けスリーブまたは要素（例えばホーゼル）を介してゴルフクラブヘッド701と係合してもよいし、および/または直接的に、例えば、接着剤、セメント、溶接、はんだ付け、機械的コネクタ（ねじ、保定要素などのような）によって、クラブヘッド構造701に係合してもよい。望まれる場合、シャフト703は、ヘッド上で一つのシャフトと別のシャフトとの容易な交換を可能にするために、機械的コネクタを使用して解放可能なやり方でゴルフクラブヘッド701に接続されてもよい。また、グリップまたはハンドル705は、当技術分野において公知であり、かつ使用されている従来のやり方を含む任意の適当なまたは所望のやり方で、例えば、接着剤またはセメントを使用してなど、シャフト703に取り付けられ、それと係合し、および/またはそれから延びてもよい。シャフト703およびグリップまたはハンドル705は、ウッドタイプゴルフクラブ100に関して上述した材料のような任意の適当な材料から作られてもよい。
【００５２】
本開示の局面にしたがって、ゴルフクラブヘッド701は打球面（例えば、フェースプレートを含む打球面）711を含んでもよい。本開示の局面にしたがって、ゴルフクラブヘッド701は、本開示を逸脱することなく、任意の適当なまたは所望のやり方で、および/または、任意の適当なまたは所望の材料から、例えば、当技術分野において公知であり、かつ使用されている従来の材料から、および/または従来のやり方で構成されてもよい。例えば、クラブヘッド701および/またはその様々なパーツは、鍛造、鋳造、成形によって、および/または当技術分野において慣用的であり、かつ公知である技術およびプロセスを含む他の技術およびプロセスを使用して作られてもよい。本開示の局面にしたがって、ゴルフクラブヘッド701はブレードタイプアイアンゴルフクラブヘッドであってもよい。他の局面にしたがって、ゴルフクラブヘッド701は、周囲加重された、および/またはキャビティバックタイプのゴルフクラブヘッドまたは他のアイアンタイプゴルフクラブヘッド構造であってもよい。
【００５３】
例として、ゴルフクラブのセットの各ゴルフクラブのグリップは、図2〜4に関して上述したやり方で、モニタリング装置201を受けるように構成されてもよい。さらに、上記のように、本開示の局面にしたがって、モニタリング装置201は、ゴルフクラブのグリップ105と係合するように構成されてもよい。例えば、図2に関して記載したように、グリップ105は、取り外し可能な部片またはカートリッジ200を受けるように構成されてもよく、かつ取り外し可能な部片200はモニタリング装置201を受けるように構成されてもよい。
【００５４】
本開示の他の局面にしたがって、および図4に見られるように、グリップ105は、別個の取り外し可能な部片を含むことなく、モニタリング装置201を直接的に受け、かつ固定するように構成されてもよいことが留意されよう。上述するように、モニタリング装置201は、多様な方法でグリップ105と係合するように構成されてもよい。例えば、グリップ105は、モニタリング装置201を受けるように構成されている開口をその末端に有するように構成されてもよい。例えば、グリップ105は、モニタリング装置201がモニタリング装置の縦軸に沿ってグリップに挿入されるときにモニタリング装置201を受けるように構成されているスリットを含んでもよい。
【００５５】
本開示の局面にしたがって、モニタリング装置201は、充電されるように構成されてもよい。上記のとおり、モニタリング装置201は、電源（例えば、バッテリ）を含んでもよい。さらに、モニタリング装置201は、電源を再充電するための電力を供給する充電ケーブルを受けるように構成されてもよい。いくつかの態様において、モニタリング装置201は、モニタリング装置201がゴルフクラブ自体の中にある間に、充電ケーブルを受けるように構成されてもよい。例えば、モニタリング装置201がゴルフクラブのシャフト/グリップ内に配置されている態様において、ゴルフクラブの端部を取り外し、充電ケーブルをモニタリング装置201に接続してもよい。他の態様では、図3および／または20〜25に示したように、カートリッジ200は、充電できるように一体構造を含んでいてもよい。または、本開示の局面にしたがって、モニタリング装置201は、電磁誘導充電によって充電されるように構成されてもよい。
【００５６】
図6は、そのような取り外し可能な部片201の態様を例示する。本開示の特定の態様にしたがって、図6、7に見られるように、ゴルフクラブのセットの第一のゴルフクラブに結合している第一の取り外し可能な部片200は、第一の長さを有する第一の細長い部分を有してもよく、一方、ゴルフクラブのセットの第二の異なるゴルフクラブに結合している第二の取り外し可能な部片200は、第一の長さとは異なる（例えば、より長い）第二の長さを有する第二の細長い部分を有してもよい。さらに、図6に見られるように、本開示の特定の態様にしたがって、ゴルフクラブのセットの第三の異なるゴルフクラブに結合している第三の取り外し可能な部片200は、第一または第二の長さとは異なる（例えば、より長い）第三の長さを有する第三の細長い部分を有してもよい。例えば、より短いクラブ（例えば、ピッチングウェッジ）は、第一の長さを有する細長い部分を伴う取り外し可能な部片200を有してもよく、一方、より長いクラブ（例えば、長いアイアンまたはハイブリッドタイプゴルフクラブ）は、第二の長さを有する細長い部分を伴う取り外し可能な部片200を有してもよい。さらに、いっそう長いクラブ（例えば、ドライバ）は、第三の長さを有する細長い部分を伴う取り外し可能な部片200を有してもよい。図6には三つの態様だけが示されているが、セットの各ゴルフクラブは、モニタリング装置201を正しい位置に配置するために、異なる長さ（例えば、クラブの長さが増すにつれてより長くなる）の細長い部分を伴う取り外し可能な部片200を有しうることが留意されよう。
【００５７】
本開示の他の態様にしたがって、取り外し可能な部片200は他の構造を同様に有してもよい。例えば、本開示のいくつかの態様にしたがって、取り外し可能な部片200は、モニタリング装置201を受ける、自己配置される円錐形構造であってもよい。円錐形構造は、モニタリング装置201をシャフト103内の適切な位置に配置するために、ゴルフクラブ100のシャフト103の内部と係合するように構成されてもよい。例えば、ゴルフクラブのセットの異なるクラブと係合するための、複数の円錐形の取り外し可能な部片200は、モニタリング装置201をシャフト103内の適切な位置に配置するために、より長く、より広く（例えば、長い直径を有し）てもよい。本開示のいくつかの態様にしたがって、ゴルフクラブシャフト103の内部は、取り外し可能な部片200と係合し、かつモニタリング装置201をシャフト103内の適切な位置に配置するように構成されている構造（例えば、配置用凹み/突起またはレッジ）を含んでもよい。
【００５８】
各クラブがそのそれぞれのモニタリング装置201をセットの各ゴルフクラブに対応する共通の点で固定するように（例えば、モニタリング装置201が、セットの各ゴルフクラブに共通の基準点から同じ明記された距離だけずらされるように）構成されてもよいゴルフクラブのセットの概念を、取り外し可能な部片200に関して例示してきたが、組み入れられた米国仮出願第61/665,834に記載されたような他の手段を同様に使用してもよいことが留意されよう。
【００５９】
上述するように、本開示の他の局面にしたがって、グリップ105は、別個の取り外し可能な部片またはカートリッジ200を含むことなく、モニタリング装置201を直接的に受け、かつ固定するように構成されてもよいことが留意されよう。上述するように、モニタリング装置201は、多様な方法でグリップ105と係合するように構成されてもよい。例えば、グリップ105は、モニタリング装置201を受けるように構成されている開口をその末端に有するように構成されてもよい。例えば、グリップ105は、モニタリング装置201がモニタリング装置の縦軸に沿ってグリップに挿入されるときにモニタリング装置201を受けるように構成されているスリットを含んでもよい。
【００６０】
さらなる局面にしたがい、本明細書に記載のクラブは、より大きいモニタリング装置201またはより大きいサイズの電源206（例えば、バッテリー）を有するモニタリング装置201などの、より大きい構成要素を収容するための寸法にされてもよい。1つの態様において、電源206および/または装置201はレセプタクル110a中で、上述し、図2および6〜8に示す取り外し可能な部片200、図4に示す構成、または別の構成を用いるなどにより、グリップ105の端部の近くに配置されてもよい。シャフト103および/またはグリップ105は、より大きい電源206を収容するためのより大きい内寸（ID）を有するような構成の寸法にされてもよい。シャフト103および/またはグリップ105は、ID増大の結果、より大きい外部寸法/外寸（OD）を含んでもよいが、1つの態様において、IDは、シャフト103の壁を薄くするなどにより、ODの増大なし、または比例的に小さい増大のいずれかで、増大してもよい。本明細書において言及するIDおよびODはシャフト103の中心軸に垂直にとった断面の寸法であることが理解されよう。典型的なゴルフクラブシャフトは0.5〜0.7インチの最大内寸（典型的には内径）を有する。1つの態様において、図9〜14に示すシャフト103は、最大内寸0.510〜1.0インチのレセプタクル110aを有してもよい。この最大内寸の増大により、0.505〜1.00インチの間の外幅を有する、バッテリー206または内部バッテリー206を有するモニタリング装置201などの構成要素をその中に受けることが可能となる。他の構成要素のサイズは、本明細書に記載の原理にしたがい、異なる寸法のシャフト103を用いることによって収容させてもよい。加えて、これらの収容の原理はゴルフクラブに関して記載しているが、ゴルフクラブでの使用に限定されるものではなく、任意の様々な他の打撃装置で使用されてもよいことが理解されよう。シャフト103の内寸は概して太い方の端部に向かって外向きに漸増してもよく、1つの態様において、シャフト103はレセプタクル110aに隣接する点でその最大内寸および外寸を有してもよいことが理解されよう。
【００６１】
1つの態様において、図9に示すとおり、拡大された構成要素のためのレセプタクル110aはシャフト103の太い方の端部（末端部とも呼ぶ）に位置してもよく、シャフト103の太い方の端部の近くでより大きいIDおよびODを作るために、シャフト103は、その全長に沿って異なるように先細りになってもよい。典型的なシャフト寸法は図9に破線で示す。別の態様において、シャフト103の一部はシャフト103の他の部分よりも急に増大するIDおよび/またはODを有してもよい。例えば、図10に示すとおり、シャフト103の一部103cは、シャフト103の太い方の端部の近くのレセプタクル110aでより大きいIDおよびODを作るために、シャフト103の残部とは異なるテーパー角度を有してもよい。別の例において、図11に示すとおり、シャフト103はその太い方の端部の近くのレセプタクル110aでより大きいIDおよびODを作るために、シャフト103の長さに沿ったある点に位置する段または肩103a（すなわち、テーパー角度の急な増大と、次いで急な減少によって形成される直径の急な増大）を有してもよい。この態様において、シャフト103の段103a以外の部分は、実質的に同じテーパー角度または異なるテーパー角度を有してもよい。図11はキャップ112も含み、これはレセプタクル110aへのアクセスを可能にするためのアクセス部材の一例を構成してもよい。この態様におけるキャップ112は、スナップ嵌め接続のために構成されるが、ねじ、プレス嵌め、フリップトップ、および他の適切な構成を含む、他の構成も同様に用いてもよい。本明細書における他の態様は、同様のアクセス部材を組み込んでもよい。または取り外し可能な部片200を、図9〜14の態様のいずれかと共に用いてもよい。
【００６２】
グリップ105は、これらの態様のいずれかにおいて、拡大されてもよく、それ以外にシャフト103の大きい方の端部と係合するための寸法にされてもよい。グリップ105のIDは、係合を容易にするために、シャフト103のODと実質的に同様に拡大されてもよい。1つの態様において、グリップ105のODはグリップ105のIDおよび/またはシャフト103のODよりも小さい程度の拡大を有してもよい。例えば、図11に示すとおり、段103aの向こうに位置するグリップ105の部分は、クラブヘッドに近い方に位置するグリップ105のいくつかの部分よりも薄い壁を有してもよい。グリップ105は、別の態様において、実質的に一定の壁厚を有してもよい。
【００６３】
図9〜14に示すシャフト103は断面が円形であるが、楕円形または長円形などの他の形状を有するシャフト103を同様に用いてもよい。1つの態様において、関連するIDおよびODはシャフトの最大内寸および最大外寸である。加えて、IDまたはODの増大はシャフト103の全表面の周りで一定または比例的でなくてもよい。すなわち、IDおよび/またはODは1つの軸に沿ってのみ増大してもよく、または1つの軸に沿って他の軸よりも大きく増大してもよい。例えば、円形断面を有するシャフト103は不均一に拡大されて、楕円、長円、または他の細長い形状を作ってもよい。
【００６４】
シャフト103の拡大されたIDおよび/またはODは、図12〜14の態様におけるような、通常のシャフトボディ103bの端部に接続された延長部110によって作られてもよい。この態様において、延長部110はレセプタクル110aを含むハウジングを画定し、これはモニタリング装置201、電源206、および/または他の構成要素などの構成要素、ならびにシャフトボディ103bへの接続のために構成されたコネクタ110bを受けるように構成されている。コネクタ110bは、プレス嵌め、接着（例えば、接着剤、セメントなど）、ねじ接続、スナップ嵌めもしくは他の嵌合接続、および/または他の永久もしくは解放可能な接続などの、様々な異なる接続構造による、シャフトボディ103bへの接続のために構成されてもよい。シャフトボディ103bは、1つの態様において、相補的接続構造を有してもよい。図18〜19に示すとおり、コネクタ110bは延長部のレセプタクル110aを画定する部分のIDおよびODよりも小さいIDおよびODを有し、段103bは寸法におけるこの違いを作る。この態様におけるコネクタ110bは、シャフト103のIDおよびODよりも小さいIDおよびODも有する。延長部110は、上記キャップ112、上記の、図2および6〜8に示す取り外し可能な部片200、ならびに/または内部の構成要素へのアクセスを提供するために操作してもよい異なるタイプのアクセス部材を受けるように構成されてもよい。または、延長部110は、図4に示す態様と同様の1つもしくは複数の構成要素、または上記の別の構成を受けるように構成されてもよい。加えて、図10〜14の態様において、シャフト103はシャフト103と延長部110との間の接合部でその最大IDおよびODを有してもよいことが理解されよう。
【００６５】
図11に示すようなグリップ105は、図13に示すような延長部110のシャフト103への接続のために用いてもよく、ここで単一の、一体型グリップ部材105はシャフト103の端部を覆い、同様に延長部110の外側を少なくとも部分的に覆う。別の態様において、図14に示すとおり、延長部110は、シャフトボディ103bと係合された通常のグリップ部材105の外面と実質的に面一である、別の外部グリップ部材105aを有してもよい。さらなる態様において、他のタイプのグリップ105を用いてもよい。
【００６６】
モニタリング装置201および電源206の様々な異なる構成を、図9〜14に示し、上述するゴルフクラブに収容してもよい。図15〜18は、図9〜14の態様と共に用いうる、そのようなモニタリング装置201の様々な例を示す。図15は、モニタリング装置中の1つまたは複数のレセプタクル214に受けられる1つまたは複数の接触部213によってモニタリング装置201に接続可能な、別の電源（例えば、バッテリー）206を有するモニタリング装置201を示す。この態様において、バッテリー206は装置201よりも大きく（広く）、上述のとおり、シャフト103の寸法Dの増大によって収容させる。装置201は、図19に示すとおり、1つの態様において、標準径SDシャフト中に嵌るサイズにされてもよい。図16は、装置201の残部に対して拡大されており、上述のとおり、シャフト103の寸法Dの増大によって収容させることができる、一体型バッテリー206を有するモニタリング装置201を示す。図17は、モニタリング装置201中の1つまたは複数のレセプタクル214に受けられる1つまたは複数の接触部213によってモニタリング装置201に接続可能な、別の電源206を有するモニタリング装置201を示す。この態様において、バッテリー206および装置201はいずれも、上述のとおり、シャフト103の寸法Dの増大によって収容させるためのサイズにされている。図18は、一体型バッテリー206を有するモニタリング装置201を示し、ここで装置201全体は拡大され、上述のとおり、シャフト103の寸法Dの増大によって収容させることができる。これらの態様におけるバッテリー206および/または装置201は、アクセス部材（例えば、キャップ112）を操作することによって、シャフト103の端部を通してアクセス可能でありうる再充電ポート212も有してもよい。シャフト103の寸法Dの増大は、さらに異なるサイズおよび形状のモニタリング装置201および/またはバッテリー206、ならびにそのようなサイズの他の構成要素を収容するようにも機能してもよい。
【００６７】
モニタリング装置201は、締り嵌め、ねじ、ファスナ、ならびに本明細書の他所に記載する他の構造および技術を含むが、それらに限定されるわけではない、様々なやり方でレセプタクル110a内部に保持されてもよい。1つの例示的態様において、図27に示すとおり、モニタリング装置201は、その一部の上に配置された柔軟な部材221を有してもよい。この態様における柔軟な部材221は、モニタリング装置201をレセプタクル110a内の定位置に保持するために、モニタリング装置201のケーシングのたれ下がり部分222の周りに完全に延びる柔軟な隆起である。他の態様において、柔軟な部材221は異なる構成を有してもよく、図26に関する任意の上記構成を有してもよい。柔軟な部材221は、この態様において、シャフト103の標準径SDおよび/またはコネクタ100bの内面と係合するように構成される。1つの態様において、柔軟な部材221は、少なくともグリップ105/シャフト103への挿入方向に垂直に最大寸法を有するたれ下がり部分222の領域上に配置されてもよい。他の例示的態様において、装置201は、シャフト103の増大した寸法Dにさらに、または代わりに係合するよう構成された柔軟な部材221を有してもよい。柔軟な部材221はモニタリング装置201が多様なシャフト径を有する複数のシャフト中に挿入されることを可能にする。これはさらに、モニタリング装置201が異なるクラブまたは他のスポーツ用具で使用されることを可能にする。図7および15〜18に示す電子モジュール201を含む、本明細書において示し、記載する電子モジュール201の他の態様は、これらの目的のために柔軟な部材221を含んでもよいことが理解されよう。柔軟な部材221は、上述のとおり、ゴムまたはポリウレタンを含む、当技術分野において公知の様々な材料で形成することができる。別の態様において、1つまたは複数のファスナ（示していない）は、上述し、図3に示す構成または他の構成を含む、レセプタクル110a内にモニタリング装置201を保持するために使用されてもよい。
【００６８】
より大きい構成要素を収容する能力は、本明細書に記載の装置およびシステムに対する多くの利点を有しうる。例えば、より大きいバッテリーを収容することは、モニタリング装置および/または他の構成要素が、長期のゴルフ旅行のためなどの、少なくとも1日またはさらには数日などの、より長期間のために電力供給されることを可能にしうる。別の例として、より大きいモニタリング装置を収容することは、追加の構成要素および特徴の装置内への組込みを可能にしうる。モニタリング装置の外側の追加の構成要素のための空間も作ってもよい。さらに他の利点は、当業者には明白である。
【００６９】
別の態様において、シャフト103は、図20〜25の態様におけるような、シャフト103を受けるように構成された、単一の、一体型グリップ組立品109を形成するために同時成形されたレセプタクルまたはカートリッジホルダ106およびグリップ部材105に接続されてもよい。この態様において、レセプタクルまたはカートリッジホルダ106は、電源206、および/または他の構成要素を含みうるモニタリング装置201などの構成要素を受けるように構成されているハウジングを画定する。
【００７０】
上記打球装置の組み立て法の1つの態様を、図20〜25に示す。まず、図20に見られるように、レセプタクル106は別に成形される。この態様において、レセプタクル106は、図3に関する上記カートリッジホルダ106と同様の特徴を有するように成形される。レセプタクル106は概してモニタリング装置201を支持するカートリッジ200を受けるように構成される。レセプタクル106は、その中に第一の開口191および第二の開口192を有する主要ボディ部分190を有する。第一の開口191は一般に、主要ボディ部分190中に概して縦に伸びる細長いスロットである。第一の開口191は、長さおよび幅が多様であり得、概して、以下により詳細に記載する、センサ201を支持するカートリッジ200の部分を受けるための寸法にされている。第一の開口191は、カートリッジ200と主要ボディ部分190との間に最小限の遊びがあるような寸法にされている。第二の開口192は、図20〜25の態様において、ねじなどの接続構造を含み、ねじインサート195を受けるように構成されてもよい。主要ボディ部分190はさらに、末端部の凹み部分193を画定し、第一の開口191および第二の開口192は凹み部分193で開いている。1つの態様において、レセプタクル106は、上記の、図3に示す、シャフト103の内面と係合するための構造などの、シャフト103と係合するための構造を含んでもよい。例示的態様において、レセプタクル106は一体型部材であり、当技術分野において公知の様々な材料で形成されうる。さらに、図3に見られるとおり、レセプタクル106は、カートリッジ200を囲んでしっかりと支持し、それによりモニタリング装置201を衝撃または風雨による損傷から保護するように構成されてもよい。
【００７１】
カートリッジ200も、例えば、キャップ部材205、クリップ部材207、およびオリフィス208を含む、上記の様々な構造的特徴を含むように、別に成形される。図3に示すとおり、取り外し可能なカートリッジ200は、キャップ部材205からたれ下がるクリップ部材207を有するキャップ部材205を有する。キャップ部材205は、それを通って伸び、クリップ部材207に隣接する、オリフィス208を有する。クリップ部材207は基部209および基部209からキャップ部材205と反対の端部で概して横に伸びる弾力性フィンガー210を有する。基部はモニタリング装置201を全長にわたって収容するための寸法にされている。弾力性フィンガー210はモニタリング装置201の端部と係合する。したがって、モニタリング装置201はカートリッジ200中に挿入され、ここでモニタリング装置201は概して締り嵌めで固定されることが理解されよう。センサ201の1つの端部は弾力性フィンガー210によって係合され、モニタリング装置201の別の端部はキャップ部材205の下側によって係合される。したがって、モニタリング装置201はクリップ部材207中にパチンとはめることができる。望まれる場合には、さらなるフィンガーまたは他の保持要素をクリップ部材207と合体させることができ、カートリッジ200およびモニタリング装置201は、タブおよびスロットなどの相補的係合構造を含んでもよい。例えば、より長い基部209を用い、したがってセンサ201をキャップ部材205から離す場合、さらなる保持要素を用いてもよい。取り外し可能なカートリッジ200は本明細書に記載の他の態様の特徴を利用しうることがさらに理解されよう。例えば、クリップ部材207は、図6に示すような、異なる長さを有してもよい。次いで、レセプタクル106は、そのような寸法のカートリッジ200と協働するように対応する構造を有してもよい。カートリッジ200は、本明細書に記載の様々なロックアウトまたは他の識別構造を使用してもよい。1つの態様において、カートリッジ200は射出成形される。シャフト103およびモニタリング装置201または他のセンサも、組み立て前に構成される。
【００７２】
図21〜25に示すとおり、レセプタクル106はグリップ部材105に接続されて、一体型グリップ組立品107を形成する。グリップ部材105は、通常のグリップとして機能する、シャフト103の端部上のグリップ表面を形成する。レセプタクル106およびグリップ部材105は同じまたは異なる材料で作製されてもよく、1つの態様において、レセプタクル106は、より軟らかく、より柔軟な材料で作製されてもよいグリップ部材105よりも比較的硬く、強く、および/または柔軟性が低い材料で形成されてもよい。例として、グリップ部材105は熱可塑性ポリウレタン（TPU）もしくは他のウレタン、天然もしくは合成ゴム、シリコーン材料、エポキシド、熱可塑性エラストマー（TPE）、または他のポリマー材料で作製されてもよい。加えて、例として、レセプタクル106は、ポリプロピレン、アセタール材料、ポリカーボネート（PC）、アクリロニトリルブタジエンスチレン（ABS）、ナイロン、または他のポリマー材料で作製されてもよく、これらは補強材（例えば、ガラスまたはグラファイト）を含んでもよい。または、レセプタクル106は、金属材料または他の非ポリマー系材料で形成されてもよい。図20〜25に示す態様において、グリップ部材105は、レセプタクル106の露出された頂部（凹み193が位置するところ）以外、レセプタクル106を完全に囲んで、レセプタクル105の周りに連続的外部グリッピング表面を提供する。グリップ部材105は、レセプタクル106を囲むシャフト103の端部の近くの第一の部分215およびレセプタクル106の下に位置する第二の部分216を有してもよく、第一および第二の部分215、216は異なる壁厚を有する。図20〜25の態様において、第一の部分215は第二の部分216よりも薄い壁厚を有する。加えて、レセプタクル106はさらに、グリップ部材105の第二の部分216内に受けられることを可能にする、より小さい外寸を有する狭小化部分214を含む。図20〜25の態様において、レセプタクル106およびグリップ部材105はいずれも、第一および第二の部分215、216の接合部で急な寸法変化を作る肩218を有するが、他の態様において、異なる構造を有してもよい。他の態様において、グリップ部材105およびレセプタクル106は異なる寸法の追加の部分を有してもよいことが理解されよう。
【００７３】
グリップ部材105は、グリップ部材105の内面がシャフト103の外面と係合するように、シャフト103を受けるように構成されている細長い中心通路132を画定する。この態様において、レセプタクル106の狭小化部分214はシャフト103の端部に接触し、別のやり方でシャフト103と係合する構図を含んでもよい。例えば、上記図3の態様と同様に、レセプタクル106は、シャフト103の部分、またはシャフト103内に嵌る部分を受ける構造を含んでもよい。
【００７４】
グリップ組立品107は、以下に記載するとおり、単一のユニットとして製造され、次いで製造中にシャフト103に接続されうる。以下に記載し、図20〜25に図示するとおり、レセプタクル106は、グリップ部材105に接続されて、オーバーモールディング工程を通してグリップ組立品を形成してもよい。図21に見られるとおり、レセプタクル106は、上記すべての特徴を含む、射出成形工程などにより形成される。1つの態様において、少なくともいくらかの製造後機械処理が必要でありうる。レセプタクル106が形成された後、グリップ部材105はオーバーモールディング工程においてレセプタクル106の周りにグリップ材料を成形することによって形成される。オーバーモールディング工程は、レセプタクル106を型穴に配置すること、およびグリップ材料をレセプタクル106の外面の少なくとも一部と接触して成形することを含んでもよいことが理解されよう。オーバーモールドグリップ材料は、シャフトを受けるように構成された中空の中心通路132も形成する。レセプタクル106は、中空の中心通路132の末端部に位置する。オーバーモールドグリップ材料は、レセプタクル106と共に単一の、一体型部品を形成する。いくつかの態様において、図21に見られるとおり、オーバーモールドグリップ材料は、上述のとおり、多様な厚さを有する。他の態様において、オーバーモールドグリップ材料はレセプタクル106の外面の一部を囲むだけであってもよく、グリップ部材105はレセプタクル106の少なくとも側面の部分を露出したままにしてもよい。
【００７５】
組み立て中に、図21に見られるとおり、ねじインサート195は第二の開口192中に挿入され、1つの態様において、インサート195はグリップオーバーモールディング完了後に第二の開口192中に挿入される。この接続は、締り嵌め、接着材料、または他の手段によって固定されてもよい。シャフト103は、図22に見られるとおり、グリップ部材105の中空の中心通路132中に挿入される。シャフト103は、締り嵌め、接着材料、または他の接続技術によって、グリップ部材105に固定されてもよい。例示的態様において、シャフトはレセプタクル106に接続される。モニタリング装置201または他のセンサは、図23に見られるとおり、カートリッジ200中に挿入される。取り外し可能なカートリッジ200はレセプタクル106中に挿入される。モニタリング装置201を支持する基部209およびフィンガー210は第一の開口191中に挿入される。主要ボディ部分190の構造はカートリッジ200を囲んでしっかりと支持し、それによりモニタリング装置201を衝撃または風雨による損傷から保護する。この態様において、第一の開口191は概して非円形であり、ここでモニタリング装置201を支持するクリップ部材207は第一の開口191中に、設定され、決まった方向に挿入されなければならないことがさらに理解されよう。さらに、センサ201の周りの遊びを最小限にすることで、センサ201の位置が常にわかる。これは、データを望まれる様式で記録および分析する能力を助ける。
【００７６】
図3および図24にさらに示すとおり、カートリッジ200およびレセプタクル106は、ねじファスナ211または第二の開口192と係合する他の接続部材（例えば、機械的に係合可能および/または接着材料を用いて接続されうる、1つまたは複数の突起、柔軟なタブ、クランプ、アンカーなど）によって一緒に締結されるように構成されてもよい。例えば、キャップ部材205は凹み部分193に受けられる。キャップ部材205は概してカートリッジホルダ106の端部と面一である。キャップ部材205上のオリフィス208は第二の開口192と整列する。ねじファスナ211はオリフィス208を通って挿入され、第二の開口192中に固定される。別の態様において、第二の開口192は一体型ねじまたは別の接続構造を含んでもよい。したがって、取り外し可能なカートリッジ200は単一のファスナによってクラブのグリップに固定される。取り外し可能なカートリッジ200とレセプタクル106、または、さもなくばグリップ105との間で他の締結機構を用いうることが理解されよう。他の締結機構にはスナップ嵌め構成または締り嵌めならびに他の機械的構成が含まれる。そのような構成により、カートリッジ200を支持するレセプタクル106はグリップ105中に継ぎ目なしに一体化され、実質的に検知不可能である。ゴルフクラブは、いかなるセンサ技術も組み込んでいない任意の通常のゴルフクラブのように見える。
【００７７】
図20〜25に示すカートリッジ200およびグリップ組立品107の態様は、モニタリング装置201またはグリップ部分内に隠蔽され、外部から検知不可能な他の構成要素のためのマウントを作るために用いることができる。これらの態様は、望まれる場合にモニタリング装置201の取り外し、再挿入、および/または可換性も提供する。さらに、グリップ組立品107は、通常のグリップと実質的に同じやり方でゴルフクラブシャフト103に容易に接続しうる単一の、一体型構造を提供し、したがっていかなる専用の組立品も必要としない。さらに、同時成形工程の使用は、費用を低減し、グリップ組立品107の製造効率を高めることができ、かつ単一の、一体型構造を作ることができる。さらに他の利点および長所は、当業者には明白である。
【００７８】
III. 結び
本開示は、上記および添付図面において、多様な例示的構造、特徴、要素ならびに構造、特徴および要素の組み合わせを参照して説明されている。しかし、本開示によって果たされる目的は、本開示の範囲を限定することではなく、本開示に関連する様々な特徴および概念の例を提供することである。当業者は、添付の特許請求の範囲によって画定される本開示の範囲を逸脱することなく、上記態様に対して数多くの改変および変更が加えられてもよいことを理解するであろう。例えば、本開示を逸脱することなく、図1〜27と共に上述した様々な特徴および概念が個々に、および/または任意の組み合わせもしくは部分的組み合わせで使用されてもよい。
【図１】
2016515891.tif 000004
【図２】
2016515891.tif 000005
【図３】
2016515891.tif 000006
【図４】
2016515891.tif 000007
【図５】
2016515891.tif 000008
【図６】
2016515891.tif 000009
【図７】
2016515891.tif 000010
【図８】
2016515891.tif 000011
【図９】
2016515891.tif 000012
【図１０】
2016515891.tif 000013
【図１１】
2016515891.tif 000014
【図１２】
2016515891.tif 000015
【図１３】
2016515891.tif 000016
【図１４】
2016515891.tif 000017
【図１５】
2016515891.tif 000018
【図１６】
2016515891.tif 000019
【図１７】
2016515891.tif 000020
【図１８】
2016515891.tif 000021
【図１９】
2016515891.tif 000022
【図２０】
2016515891.tif 000023
【図２１】
2016515891.tif 000024
【図２２】
2016515891.tif 000025
【図２３】
2016515891.tif 000026
【図２４】
2016515891.tif 000027
【図２５】
2016515891.tif 000028
【図２６】
2016515891.tif 000029
【図２７】
2016515891.tif 000030
【国際調査報告】
2016515891.tif 000031
2016515891.tif 000032
2016515891.tif 000033
2016515891.tif 000034
2016515891.tif 000035
2016515891.tif 000036